(57)【要約】【課題】生体や皮膚等を殺菌消毒に有効な殺菌消毒用洗浄液を生成する調製方法を提供する。【解決手段】希薄食塩水を被電解水とする有隔膜電解にて生成された強酸性の電解生成酸性水と電解生成アルカリ性水を適宜混合して酸性度が中性域〜弱酸性域の電解生成酸性水を生成し、または、電解槽の各電解室に対する被電解水の供給流量のバランスを採って、陽極側電解室で酸性度が中性域〜弱酸性域の電解生成酸性水を生成し、これらの電解生成酸性水中の塩分濃度を所定の濃度値に調整することからなる調製方法。【選択図】    図２
2008200610.tif 000002
【特許請求の範囲】
【請求項１】
電解生成水および塩分を主要成分とする殺菌消毒用洗浄液の調製方法であり、当該調製方法は、食塩を含有する希薄水溶液である被電解水を有隔膜電解槽を構成する陽極側電解室と陰極側電解室に供給して、陽極側電解室にて強酸性の電解生成酸性水を生成するとともに陰極側電解室にて強アルカリ性の電解生成アルカリ性水を生成し、生成された強酸性の電解生成酸性水と強アルカリ性の電解生成アルカリ性水を混合して、ｐＨが３．０〜６．５の範囲の所定のｐＨ値で有効塩素濃度が１〜３０ｍｇ／ｋｇの範囲の電解生成水に調整すること、および、当該電解生成水の塩分濃度を、前記被電解水の食塩濃度を予め調整することにより、または、当該電解生成水に所定量の食塩を混合することにより、０．６０〜０．９０重量％の範囲の所定の濃度値に調整することを特徴とする殺菌消毒用洗浄液の調製方法。
【請求項２】
電解生成水および塩分を主要成分とする殺菌消毒用洗浄液の調製方法であり、当該調製方法は、食塩を含有する希薄水溶液である被電解水を有隔膜電解槽を構成する陽極側電解室と陰極側電解室に、陽極側電解室に対する供給流量を陰極側電解室に対する供給流量より多く供給して、陽極側電解室にて生成される電解生成酸性水をｐＨが３．０〜６．５の範囲の所定のｐＨ値で有効塩素濃度が１〜３０ｍｇ／ｋｇの範囲の電解生成水に調整すること、および、当該電解生成水の塩分濃度を、前記被電解水の食塩濃度を予め調整することにより、または、当該電解生成水に所定量の食塩を混合することにより、０．６０〜０．９０重量％の範囲の所定値に調整することを特徴とする殺菌消毒用洗浄液の調製方法。
【発明の詳細な説明】
【技術分野】
【０００１】
本発明は、生体や皮膚等を殺菌消毒するために使用する殺菌消毒用洗浄液の調製方法に関し、特に、電解生成水および塩分を主要成分とする殺菌消毒用洗浄液の調製方法に関する。
【背景技術】
【０００２】
電解生成水のうち、酸性の電解生成水（電解生成酸性水）は、有効塩素成分に起因する高い殺菌作用を有する殺菌剤として知られており、当該殺菌剤については、各種の分野でその用途開発が行われている。また、アルカリ性の電解生成水（電解生成アルカリ性水）は、アルカリ成分に起因する高い清浄作用を有する洗浄剤として知られていて、当該洗浄剤については、各種の分野でその用途開発が行われている。これらの電解生成水の用途の一例としては、医療分野での用途が挙げられる。医療分野の用途としては、生体や皮膚等、例えば、皮膚や、生体の創傷部、患部、切開部、留置カテーテルの経皮開口部、肛門等を清澄化するための殺菌消毒用洗浄液として使用される。
【０００３】
電解生成水を医療分野で殺菌剤や清浄化剤として利用する具体的な例としては、強酸性の電解生成水（強酸性の電解生成酸性水）および／または強アルカリ性の電解生成水（強アルカリ性の電解生成アルカリ性水）を使用する例が、「電解生成清浄化水」なる名称で提案されており（特許文献１を参照）、また、弱酸性〜弱アルカリ性の電解生成水を使用する例が「血液と等張の電解水」なる名称で提案されている（特許文献２を参照）。
【０００４】
しかして、上記した特許文献１にて提案されている「電解生成清浄化水」の一例は、殺菌消毒作用が高く、かつ、生体の細胞にダメージを与えないことを意図したもので、強酸性の電解生成酸性水と塩分（食塩）を主要成分とするものであり、塩分濃度が０．６０〜０．９０重量％の範囲の所定の濃度値に調整されているものである。一方、上記した特許文献２にて提案されている「血液と等張の電解水」は、殺菌消毒作用が高く、かつ、生体の細胞への刺激や細胞の変性を軽減することを意図したもので、弱酸性〜弱アルカリ性の電解生成水であって、浸透圧が１２８〜３２２ｍＯｓｍに調整されているものである。
【特許文献１】特許第３７２２６６２号公報
【特許文献２】特開２０００−１５７９７７号公報
【発明の開示】
【発明が解決しようとする課題】
【０００５】
本発明者は、生体や皮膚等を殺菌消毒するのに有効な洗浄液（殺菌消毒用洗浄液）について鋭意検討した結果、殺菌消毒作用の点からは、有効塩素成分を有する酸性域の電解生成酸性水が有効であることを確認している。殺菌能を有する有効塩素成分の電解生成水中での形態は、強酸性域では塩素と次亜塩素酸の形態を呈し、強酸性域〜中性域では次亜塩素酸および次亜塩素酸イオンの形態を呈し、また、アルカリ性域では次亜塩素酸イオンの形態を呈している。アルカリ性域の電解生成水は、殺菌作用が低くかつ残留性が高いため、外傷の殺菌消毒等には不適等である。従って、殺菌消毒作用の点からすれば、上記特許文献１に記載の電解生成清浄化水は有効であるものと認められ、また、上記特許文献２に記載の電解水は、酸性域の電解生成水に限れば有効であるものと認められる。
【０００６】
一方、酸性域にある電解生成水中の有効塩素成分の形態は、酸性度が強酸性域と弱酸性域とで大きく異なる。電解生成酸性水においては、ｐＨが低くなるのに応じて、揮発性の高い塩素の含有量が漸次増大する傾向にあり、ｐＨが３以下では、揮発性の高い塩素が著しく増大する。揮発性の高い塩素を多く含有する電解生成酸性水は、開放系では、塩素の揮発が早くて殺菌能を早期に喪失する上、揮発した塩素ガスによる周辺の機器等に対する腐食の問題が発生する。特に、精密機器が多く存在する医療施設においては、これは大きな問題である。また、強酸性の酸性域の電解生成酸性水は、生体に対する刺激性の点からも好ましくはない。
【０００７】
以上のことから、本発明者は、生体や皮膚等を殺菌消毒するための殺菌消毒用洗浄液としては、上記特許文献１にて提案されている電解生成清浄化水のうちの、強酸性域の電解生成酸性水を除く、酸性度が中性域〜弱酸性域の電解生成酸性水（ｐＨが３．０〜６．５、有効塩素濃度が１〜３０ｍｇ／ｋｇ、塩分濃度が０．６〜０．９０重量％）の電解生成清浄化水が、生体や皮膚等を殺菌消毒するために最も有効な殺菌消毒用洗浄液であることを確認した。しかしながら、上記特許文献１には、当該殺菌消毒用洗浄液を具体的に生成する調製方法については開示されていない。
【０００８】
一方、上記特許文献２にて提案されている電解水は、ｐＨが３〜８．５の範囲にあることから、同特許文献には、酸性度が中性域〜弱酸性域の電解生成酸性水である電解水の調製方法については、一応開示はされている。同特許文献に開示されている電解水の調製方法は、無隔膜電解にて生成された電解生成水に塩酸を添加して、電解生成水のｐＨを調整する手段が採られている。このため、当該調整手段では、危険物である塩酸の使用が不可欠であり、当該調整手段は、医療施設で常用される殺菌消毒用洗浄液の調製方法としては適しない。従って、本発明の目的は、当該殺菌消毒用洗浄液を有利に生成することができる調製方法を提供することにある。
【課題を解決するための手段】
【０００９】
本発明は、電解生成水および塩分を主要成分とする殺菌消毒用洗浄液の調製方法に関する。本発明に係る殺菌消毒用洗浄液の第１の調製方法は、食塩を含有する希薄水溶液である被電解水を有隔膜電解槽を構成する陽極側電解室と陰極側電解室に供給して、陽極側電解室にて強酸性の電解生成酸性水を生成するとともに陰極側電解室にて強アルカリ性の電解生成アルカリ性水を生成し、生成された強酸性の電解生成酸性水と強アルカリ性の電解生成アルカリ性水を混合して、ｐＨが３．０〜６．５の範囲の所定のｐＨ値で有効塩素濃度が１〜３０ｍｇ／ｋｇの範囲の電解生成水に調整すること、および、当該電解生成水の塩分濃度を、前記被電解水の食塩濃度を予め調整することにより、または、当該電解生成水に所定量の食塩を混合することにより、０．６０〜０．９０重量％の範囲の所定の濃度値に調整することを特徴とするものである。
【００１０】
また、本発明に係る殺菌消毒用洗浄液の第２の調製方法は、食塩を含有する希薄水溶液である被電解水を有隔膜電解槽を構成する陽極側電解室と陰極側電解室に、陽極側電解室に対する供給流量を陰極側電解室に対する供給流量より多く供給して、陽極側電解室にて生成される電解生成酸性水をｐＨが３．０〜６．５の範囲の所定のｐＨ値で有効塩素濃度が１〜３０ｍｇ／ｋｇの範囲の電解生成水に調整すること、および、当該電解生成水の塩分濃度を、前記被電解水の食塩濃度を予め調整することにより、または、当該電解生成水に所定量の食塩を混合することにより、０．６０〜０．９０重量％の範囲の所定の濃度値に調整することを特徴とするものである。
【発明の効果】
【００１１】
本発明に係る殺菌消毒用洗浄液の調製方法は、ｐＨが３．０〜６．５の酸性度が中性域〜弱酸性域にあって、有効塩素濃度が１〜３０ｍｇ／ｋｇの範囲、塩分濃度が０．６０〜０．９０重量％の範囲にある電解生成酸性水である殺菌洗浄用洗浄液を調製するものである。当該殺菌消毒用洗浄液は、生体や皮膚等に対する殺菌消毒作用が高く、生体の細胞にダメージを与えることがなく、かつ、生体に対する刺激性が大幅に抑制されているものである。従って、当該殺菌消毒用洗浄液は、生体や皮膚等を殺菌消毒するためには、極めて有効な殺菌消毒用洗浄液ということができる。
【００１２】
ところで、本発明に係る殺菌消毒用洗浄液の調製方法においては、当該殺菌消毒用洗浄液の主要成分の第１の成分である酸性度が中性域〜弱酸性域にある電解生成酸性水の調製に、希薄食塩水を被電解水とする有隔膜電解にて生成される電解生成水のみを使用している。すなわち、酸性度が中性域〜弱酸性域にある電解生成酸性水の調整には、本発明に係る殺菌消毒用洗浄液の第１の調製方法では、有隔膜電解槽の陽極側電解室にて生成される強酸性の電解生成酸性水と、陽極側電解室にて生成される強アルカリ性の電解生成アルカリ性水を互いに混合する手段を採り、また、本発明に係る殺菌消毒用洗浄液の第２の調製方法では、有隔膜電解槽の陽極側電解室と陰極側電解室とに供給される被電解水の供給流量を互いに異にする手段を採っている。このため、当該殺菌消毒用洗浄液の調製には、調製作業中に塩酸等の危険物を使用する必要がなく、調製作業者が塩酸等の危険物を取り扱う必要がないという大きな利点がある。
【００１３】
また、本発明に係る殺菌消毒用洗浄液の調製方法においては、当該殺菌消毒用洗浄液の主要成分の第２の成分である塩分の濃度の調整には、被電解水の食塩濃度を予め調整することにより、または、第１の成分であるｐＨを所定のｐＨ値に調整されている電解生成水に所定量の食塩を混合することにより、０．６０〜０．９０重量％の範囲の所定の濃度値に調整する手段を採っている。これらの調整手段を採れば、前者の調整手段においては勿論のこと、後者の混合手段においても、当該電解生成酸性水のｐＨ値に何等の影響を及ぼすことなく、塩分濃度を所定の濃度値に調整することができる利点がある。
【発明を実施するための最良の形態】
【００１４】
本発明は、生体や皮膚等を殺菌消毒するために使用する殺菌消毒用洗浄液、特に、電解生成水および塩分を主要成分とする殺菌消毒用洗浄液の調製方法である。本発明に係る調製方法で調製される殺菌消毒用洗浄液は、酸性度が中性域〜弱酸性域（ｐＨが３．０〜６．５）の範囲の所定のｐＨ値で有効塩素濃度が１〜３０ｍｇ／ｋｇの範囲、かつ、塩分濃度が０．６０〜０．９０重量％の範囲の所定の濃度値を有するものである。
【００１５】
本発明者は、本出願人が所有する特許発明、すなわち、冒頭の特許文献１にて提案されている電解生成清浄化水のうち、殺菌消毒作用を有する電解生成酸性水を第１の主要成分とし、かつ、塩分を第２の主要成分とする電解生成清浄化水について鋭意研究した結果、第１の電解生成酸性水のｐＨが３．０〜６．５の範囲（酸性度が中性域〜弱酸性域）にある場合には、ｐＨが３．０未満の強酸性域にある場合に比較して、殺菌消毒作用が高いとの知見を得た。当該知見は、電解生成水のｐＨと電解生成水中の殺菌能を有する有効塩素成分が呈する形態との関係を示す図１からも明らかである。
【００１６】
酸性域にある電解生成水中の有効塩素成分の形態は、強酸性域と弱酸性域とで大きく異なり、ｐＨが低くなるのに応じて、揮発性の高い塩素の含有量が急激に増大する傾向にあり、かつ、殺菌作用が高い次亜塩素酸の含有量が急激に低下する傾向にある。また、殺菌作用が高い次亜塩素酸の含有量は、ｐＨ５以降にあっては、ｐＨが高くなるのに応じて急激に低下する。電解生成水のｐＨが３以下の領域では、揮発性の高い塩素の含有量が多いことから、当該電解生成酸性水は開放系では、塩素の揮発が早くて殺菌能を早期に喪失する上、揮発した塩素ガスによる周辺の機器等に対する腐食の問題が発生する。
【００１７】
本発明者は、かかる知見に基づき、ｐＨが３．０〜６．５の範囲の所定のｐＨ値であって、有効塩素濃度が１〜３０ｍｇ／ｋｇの範囲、塩分濃度が０．６０〜０．９０重量％の範囲の所定の濃度値にある殺菌消毒用洗浄液について、冒頭の特許文献１にて提示されている各実験に則って実験した結果、当該殺菌消毒用洗浄液は、生体や皮膚等に殺菌消毒作用が高く、生体の細胞にダメージを与えることがなく、かつ、生体に対する刺激性が少ない殺菌消毒用洗浄液であること確認した。また、当該菌消毒用洗浄液においては、開放系にあっても、塩素の揮発が少なくて、揮発した塩素ガスに起因する周辺の機器等に対する腐食の問題が十分に抑制されることを確認した。本発明者は、かかる知見に基づき、当該殺菌消毒用洗浄液を生成する調製方法についての最適な調製方法を検討した結果、以下の調製方法を見出した。
【００１８】
当該殺菌消毒用洗浄液の第１の調製方法は、食塩を含有する希薄水溶液である被電解水を有隔膜電解槽を構成する陽極側電解室と陰極側電解室に供給して、陽極側電解室にて強酸性の電解生成酸性水を生成するとともに陰極側電解室にて強アルカリ性の電解生成アルカリ性水を生成し、生成された強酸性の電解生成酸性水と強アルカリ性の電解生成アルカリ性水を混合して、ｐＨが３．０〜６．５の範囲の所定のｐＨ値で有効塩素濃度が１〜３０ｍｇ／ｋｇの範囲の電解生成水に調整すること、および、当該電解生成水の塩分濃度を、前記被電解水の食塩濃度を予め調整することにより、または、当該電解生成水に所定量の食塩を混合することにより、０．６０〜０．９０重量％の範囲の所定の濃度値に調整するものである。
【００１９】
また、当該殺菌消毒用洗浄液の第２の調製方法は、食塩を含有する希薄水溶液である被電解水を有隔膜電解槽を構成する陽極側電解室と陰極側電解室に、陽極側電解室に対する供給流量を陰極側電解室に対する供給流量より多く供給して、陽極側電解室にて生成される電解生成酸性水をｐＨが３．０〜６．５の範囲の所定のｐＨ値で有効塩素濃度が１〜３０ｍｇ／ｋｇの範囲の電解生成水に調整すること、および、当該電解生成水の塩分濃度を、前記被電解水の食塩濃度を予め調整することにより、または、当該電解生成水に所定量の食塩を混合することにより、０．６０〜０．９０重量％の範囲の所定の濃度値に調整するものである。図２には、当該殺菌消毒用洗浄液の調製方法を実施することができる殺菌消毒用洗浄液製造装置を示している。当該殺菌消毒用洗浄液製造装置（以下当該洗浄液製造装置と省略する）は、電解水生成装置１０ａ、被電解水調製装置１０ｂ、および濃塩水添加装置１０ｃを主体とするもので、これらの各装置は流水管路２０にて適宜に接続されている。
【００２０】
当該洗浄液製造装置を構成する電解水生成装置１０ａは、従来公知の有隔膜式の電解水生成装置であって、電解槽１１内が隔膜１２にて２つの区画室に区画されて、各区画室には各電極１３ａ，１３ｂが配設されて電解室Ｒ1，Ｒ2、に形成されている。当該電解水生成装置１０ａの電解運転時においては、各電解室Ｒ1，Ｒ2内の各電極１３ａ，１３ｂには、設定されている所定電圧が印加されて、一方の電解室が陽極側電解室に形成され、かつ、他方の電解室が陰極側電解室に形成される。当該電解水生成装置１０ａにおいては、例えば、電解室Ｒ1が陽極側電解室に形成され、かつ、電解室Ｒ2が陰極側電解室になるように設定されている。各電極１３ａ，１３ｂに印加する電圧は、図示しない制御装置によって制御される構成になっている。当該電解水生成装置１０ａにおいては、各電解室Ｒ1，Ｒ2の上流側に、流水管路２０を構成する被電解水の供給管路２１の各分岐管路部２１ａ，２１ｂが接続されており、また、各電解室Ｒ1，Ｒ2の下流側には、流水管路２０を構成する第１流出管路２２ａ，第２流出管路２２ｂが接続されている。
【００２１】
当該洗浄液製造装置を構成する被電解水調製装置１０ｂは、濃塩水タンク１４ａ、導入管路１４ｂ、および、可変容量型の供給ポンプ１４ｃを備えている。導入管路１４ｂは、濃塩水タンク１４ａと被電解水の供給管路２１の本管路部２１ｃに接続されていて、濃塩水タンク１４ａには、飽和食塩水が収容されている。供給ポンプ１４ｃは、その駆動により、濃塩水タンク１４ａ内の飽和食塩水を、設定された流量だけ継続して供給管路２１の本管路部２１ｃ内に導入する。供給ポンプ１４ｃの吐出容量は、図示しない制御装置によって制御される構成になっている。
【００２２】
当該被電解水調製装置１０ｂは、供給管路２１に設定された流量で供給される水道水等の原水に、設定された流量の飽和食塩水を導入すべく機能する。供給管路２１の本管路部２１ｃに導入された飽和食塩水は、本管路部２１ｃ内で流動する原水と均一に混合して、設定された所定濃度の希薄食塩水を調製する。調製された希薄食塩水は、被電解水として、供給管路２１の各分岐管路部２１ａ，２１ｂを経て、電解槽１１の各電解室Ｒ1，Ｒ2内に供給される。なお、流水管路２０を構成する供給管路２１には、各分岐管路部２１ａ，２１ｂおよび本管路部２１ｃの途中の流量制御弁２２ａ，２２ｂ，２２ｃが介装されている。各流量制御弁２３ａ，２３ｂ，２３ｃは、図示しない制御装置によって許容流量を制御される構成になっている。
【００２３】
当該洗浄液製造装置を構成する濃塩水添加装置１０ｃは、被電解水調製装置１０ｂと同様、濃塩水タンク１５ａ、導入管路１５ｂ、および、可変容量型の供給ポンプ１５ｃを備えるもので、電解生成水を洗浄液タンク１６内に導入する第１導入管路２４ａに接続されている。第１導入管路２４ａは、電解槽１１の陽極側電解室Ｒ1に接続する第１流出管路２２ａに接続され、かつ、電解槽１１の陰極側電解室Ｒ2に接続する第２流出管路２２ｂに、第２導入管路２４ｂを介して接続されている。
【００２４】
第２導入管路２４ｂは、その一端が第２流出管路２２ｂの途中に接続され、かつ、その他端が第１導入管路２４ａにおける濃塩水添加装置１０ｃの導入管路１５ｂの接続部位より上流側に接続されている。第２導入管路２４ｂと第２流出管路２２ｂの接続部位には、流量制御弁２３ｄが介装されている。流量制御弁２３ｄは、電解生成アルカリ性水の第２導入管路２４ｂ側への流量を制御するもので、図示しない制御装置によって流量制御の動作がなされる。
【００２５】
当該濃塩水添加装置１０ｃは、供給ポンプ１５ｃの駆動により、設定された流量の飽和食塩水を第１導入管路２４ａ内に導入すべく機能する。第１導入管路２４ａ内に導入された飽和食塩水は、第１導入管路２４ａ内にて流動する電解生成水と均一に混合して、設定された所定の塩分濃度の殺菌消毒用洗浄液を調製する。調製された殺菌消毒用洗浄液は、洗浄液タンク１６内に導入されて収容される。洗浄液タンク１６内に収容されている殺菌消毒用洗浄液は、可及的速やかに、生体や皮膚の殺菌消毒洗浄に使用される。
【００２６】
当該洗浄液製造装置においては、第１導入管路２４ａにおける濃塩水添加装置１０ｃの導入管路１５ｂの接続部位より下流側の部位には、ｐＨセンサ２５ａおよび塩分濃度センサ２５ｂが介装されていて、調製された殺菌消毒用洗浄液のｐＨおよび塩分濃度を、図示しない制御装置に検出信号として出力するように構成されている。当該制御装置は、検出されたｐＨに基づいて印加電流等電解条件を制御し、または、流量制御弁２３ｄの許容流量を制御して、調製される殺菌消毒用洗浄液のｐＨを設定されているｐＨ値に維持すべく機能する。また、当該制御装置は、検出された塩分濃度に基づき、被電解水調製装置１０ｂの供給ポンプ１４ｃおよび／または濃塩水添加装置１０ｃの供給ポンプ１５ｃの吐出流量を制御して、調製される殺菌消毒用洗浄液の塩分濃度を設定されている塩分濃度値に維持すべく機能する。本発明に係る殺菌消毒用洗浄液の第１の調製方法および第２の調製方法は共に、当該洗浄液製造装置を使用することによって実施することができる。
【００２７】
本発明に係る第１の調製方法は、所定濃度の食塩を含有する希薄水溶液を被電解水として、同被電解水を有隔膜電解することによって、強酸性の電解生成酸性水と強アルカリ性の電解生成アルカリ性水を生成し、これらの両電解生成水を混合して、ｐＨが３．０〜６．５の範囲の所定のｐＨ値で有効塩素濃度が１〜３０ｍｇ／ｋｇの範囲の電解生成水に調整すること、および、調整された該電解生成水の塩分濃度を、被電解水の食塩濃度を予め調整することにより、または、当該電解生成水に所定量の食塩を混合することにより、０．６０〜０．９０重量％の範囲の所定の濃度値に調整するものである。
【００２８】
当該洗浄液製造装置を使用して、本発明に係る第１の調製方法を実施するには、先ず電解水生成装置１０ａの電解運転を開始する。電解運転を開始するに当たっては、制御装置は、原水を供給管路２１の本管路部２１ｃに継続して導入するとともに、被電解水調製装置１０ｂを駆動して、所定流量の飽和食塩水を本管路部２１ｃに継続して導入する。これにより、本管路部２１ｃ内では、設定された所定濃度の希薄食塩水が生成されて、当該希薄食塩水は被電解水として、供給管路２１の各分岐管路部２１ａ，２１ｂを通して、電解槽１１の各電解室Ｒ1，Ｒ2に同等の流量で供給される。この間、制御装置は、電解水生成装置１０ａにおける電解条件を、被電解水の塩分濃度および供給流量等に応じて設定して、各電極１３ａ，１３ｂに設定された電圧および電流を印加する。当該電解水生成装置１０ａは、この状態で、所定濃度の希薄食塩水を被電解水とする有隔膜電解を開始する。
【００２９】
当該電解水生成装置１０ａにおいて、有隔膜電解が開始されると、供給管路２１の本管路部２１ｃ内で継続して調製される希薄食塩水である被電解水は、供給管路２１の各分岐管路部２１ａ，２１ｂを通して電解槽１１の各電解室Ｒ1，Ｒ2内に同等の流量で供給される。供給された被電解水は、例えば陽極側電解室Ｒ1内では強酸性（ｐＨが３．０以下）の電解生成酸性水が生成され、かつ、例えば陰極側電解室Ｒ2内では強アルカリ性（ｐＨが１０．０以上）の電解生成アルカリ性水が生成される。本実施形態では、陽極電解室Ｒ1内では生成された強酸性の電解生成酸性水は、第１流出管路２２ａおよび第１導入管路２４ａを通して洗浄液タンク１６に導入されて収容される。
【００３０】
一方、陰極側電解室Ｒ2内で生成された強アルカリ性の電解生成アルカリ性水は、第２流出管路２２ｂを流動し、流量制御弁２３ｄの流量制御作用により、設定された所定流量を第２導入管路２４ｂ内に分流する。分流により導入された強アルカリ性の電解生成アルカリ性水は、第１導入管路２４ａにおける濃塩水添加装置１０ｃに接続部位より上流側部位に導入され、第１導入管路２４ａ内を流動する強酸性の電解生成酸性水と均一に混合して、設定されたｐＨ値に調整された電解生成水が調製される。なお、第２流出管路２２ｂを流動する強アルカリ性の電解生成アルカリ性水の残部は、第２流出管路２２ｂの先端側の排水口から系外に排出される。
【００３１】
この間、制御装置は濃塩水添加装置１０ｃを駆動する。これにより、濃塩水添加装置１０ｃは、設定された所定流量の飽和食塩水を第１導入管路２４ａ内に継続して導入する。導入された飽和食塩水は、第１導入管路２４ａ内を流動する、ｐＨを調整された電解生成水と均一に混合して溶解され、第１導入管路２４ａ内において、塩分濃度が設定された所定の濃度値に調整されて、殺菌消毒用洗浄液が調製される。調製された殺菌消毒用洗浄液は、第１導入管路２４ａを通して洗浄液タンク１６内に導入されて収容される。
【００３２】
なお、殺菌消毒用洗浄液においては、洗浄液タンク１６内に導入さる前の段階において、ｐＨセンサ２５ａによりｐＨのチェックがなされるとともに、塩分濃度センサ２５ｂにより塩分濃度がチェックされる。制御装置は、ｐＨセンサ２５ａからのｐＨの検出信号に基づき、殺菌消毒用洗浄液のｐＨ値を設定された所定のｐＨ値に制御し、かつ、塩分濃度センサ２５ｂからの塩分濃度の検出信号に基づき、殺菌消毒用洗浄液の塩分濃度を設定された所定の濃度値に制御する。
【００３３】
本発明に係る第１の調製方法の一実施形態によれば、電解水生成装置１０ａにおいて、陽極側電解室Ｒ1内にてｐＨ２．７で有効塩素成分が３０ｍｇ／ｋｇの強酸性の電解生成酸性水を生成し、陰極側電解室Ｒ2内にてｐＨ１１．５で有効塩素成分が０．２ｍｇ／ｋｇを生成することができ、生成された強酸性の電解生成酸性水と強アルカリ性の電解生成アルカリ性水とを、容量で３：２の割合で混合し、かつ、流動中の当該電解生成水中に、濃塩水添加装置１０ｃから適当量の飽和食塩水を添加して混合することにより、ｐＨが３．０〜６．５、有効塩素濃度が１〜３０ｍｇ／ｋｇ、塩分濃度が０．６〜０．９ｗｔ％の殺菌消毒用洗浄液を調製することができる。
【００３４】
また、当該洗浄液製造装置を使用して、本発明に係る第２の調製方法を実施するには、先ず、電解水生成装置１０ａの電解運転を開始する。電解運転を開始するに当たっては、制御装置は、原水を供給管路２１の本管路部２１ｃに継続して導入するとともに、被電解水調製装置１０ｂを駆動して、所定流量の飽和食塩水を本管路部２１ｃに継続して導入する。これにより、本管路部２１ｃ内では、設定された所定濃度の希薄食塩水が生成されて、当該希薄食塩水は被電解水として、供給管路２１の各分岐管路部２１ａ，２１ｂを通して、電解槽１１の各電解室Ｒ1，Ｒ2に供給する。当該調製方法では、特に、陽極側電解室Ｒ1に対する被電解水の供給流量を、陰極側電解室Ｒ2に対する被電解水の供給流量より所定流量多くなるように制御して供給する。この場合の被電解水の流量調整は、供給管路２１の各分岐管路部２１ａ，２１ｂに介装した各流量制御弁２３ａ，２３ｂにより行われるが、各流量制御弁２３ａ，２３ｂによる許容流量の制御は制御装置に行われる。
【００３５】
当該実施形態では、両電解室Ｒ1，Ｒ2に対する被電解水の流量バランスにより、陽極側電解室Ｒ1内では、酸性度が中性域〜弱酸性域（ｐＨ３．０〜６．５）の範囲の所定のｐＨ値で有効塩素濃度が１〜３０ｍｇ／ｋｇの電解生成酸性水が生成され、また、陰極側電解室Ｒ2内では、ｐＨが１２以上という強アルカリ性の電解生成アルカリ性水が生成される。生成された電解生成酸性水は、第１流出管路２２ａおよび第１導入管路２４ａを通して洗浄液タンク１６に導入されて収容される。また、生成された電解生成アルカリ性水は、流量制御弁２３ｄの第２導入管路２４ｂに対する流量規制作用により、第２導入管路２４ｂ側に分流することなく、第２流出管路２２ｂを通して系外に排水される。
【００３６】
この間、制御装置は濃塩水添加装置１０ｃを駆動する。これにより、濃塩水添加装置１０ｃは、設定された所定流量の飽和食塩水を第１導入管路２４ａ内に導入する。導入された飽和食塩水は、第１導入管路２４ａ内を流動する電解生成酸性水と均一に混合し、第１導入管路２４ａ内にて、塩分濃度が設定された所定の濃度値に調整されて、殺菌消毒用洗浄液が調製される。調製された殺菌消毒用洗浄液は、第１導入管路２４ａを通して洗浄液タンク１６内に導入されて収容される。
【００３７】
なお、殺菌消毒用洗浄液においては、洗浄液タンク１６内に導入さる前の段階において、ｐＨセンサ２５ａによりｐＨのチェックがなされるとともに、塩分濃度センサ２５ｂにより塩分濃度がチェックされる。制御装置は、ｐＨセンサ２５ａからのｐＨの検出信号に基づき、殺菌消毒用洗浄液のｐＨを設定された所定のｐＨ値に制御し、かつ、塩分濃度センサ２５ｂからの塩分濃度の検出信号に基づき、殺菌消毒用洗浄液の塩分濃度を設定された所定の濃度値に制御する。
【００３８】
本発明に係る第２の調製方法の一実施形態によれば、電解水生成装置１０ａにおいて、陽極側電解室Ｒ1内にてｐＨ３．０で有効塩素成分が１０ｍｇ／ｋｇの弱酸性の電解生成酸性水を生成し、第１導入管路２４ａ内を流動する当該電解生成酸性水中に、濃塩水添加装置１０ｃから適当量の飽和食塩水を添加して混合して溶解することにより、ｐＨが３．０、有効塩素濃度が１０ｍｇ／ｋｇ、塩分濃度が０．９ｗｔ％の殺菌消毒用洗浄液を調製することができる。
【００３９】
なお、上記した第１の調製方法および第２の調製方法においては、電解生成水中の塩分濃度の調整に、濃塩水添加装置１０ｃを使用した例について例示しているが、これらの調製方法の実施においては、濃塩水添加装置１０ｃを使用することなく、被電解水調製装置１０ｂのみを使用して、電解生成水中の塩分濃度を調整する手段を採ることもできる。
【図面の簡単な説明】
【００４０】
【図１】電解生成水中の有効塩素成分が呈する形態とｐＨの関係を示す形態図である。
【図２】本発明に係る調製方法を実施する洗浄液製造装置の一形態を示す概略構成図である。
【符号の説明】
【００４１】
１０ａ…電解水生成装置、１１…電解槽、１２…隔膜、１３ａ，１３ｂ…電極、Ｒ1，Ｒ2…電解室、１０ｂ…被電解水調製装置、１４ａ…濃塩水タンク、１４ｂ…導入管路、１４ｃ…供給ポンプ、１０ｃ…濃塩水添加装置、１５ａ…濃塩水タンク、１５ｂ…導入管路、１５ｃ…供給ポンプ、１６…洗浄液タンク、２０…流水管路、２１…供給管路、２１ａ，２１ｂ…分岐管路部、２１ｃ…本管路部、２２ａ…第１流出管路、２２ｂ…第２流出管路、２３ａ〜２３ｄ…流量制御弁、２４ａ…第１導入管路、２４ｂ…第２導入管路、２５ａ…ｐＨセンサ、２５ｂ…塩分濃度センサ。
【図１】
2008200610.tif 000003
【図２】
2008200610.tif 000004